(57)【要約】【課題】  ストッパーとしての動作が確実で、しかも製作性に優れたドアストッパーを提供する。【解決手段】  筒状ボディ１と、先端部が筒状ボディ１の上端開口部から所定ストロークだけ出没できるように筒状ボディ内に収納された軸部材２と、該軸部材２を常時突出方向に付勢するスプリング３とからなり、軸部材２の外周面に放射方向に突出したピン４が設けられ且つ上端面には回動操作溝５が設けられており、前記筒状ボディ１の内周面には前記ピン４がスライド自在に嵌合するガイド溝６が設けられ、該ガイド溝６は上下方向に延びる垂直溝６ａと、この垂直溝の下端に連なって側方に設けられた係合溝６ｂと、ピン４を垂直溝６ａから係合溝６ｂにガイドする傾斜ガイド面６ｃとから形成されており、更に前記筒状ボディ１が、垂直溝６ａの下端を分岐として分割成形された上部ボディ１ａと下部ボディ１ｂの結合体により構成されているとした。【選択図】図２
2008280773.tif 000002
【特許請求の範囲】
【請求項１】
上端が開口した筒状ボディと、先端部が筒状ボディの上端開口部から所定ストロークだけ出没できるように筒状ボディ内に収納された軸部材と、該軸部材を常時突出方向に付勢するスプリングとからなり、軸部材の外周面に放射方向に突出したピンが設けられ且つ上端面には回動操作溝が設けられており、前記筒状ボディの内周面には前記ピンがスライド自在に嵌合するガイド溝が設けられ、該ガイド溝は上下方向に延びる垂直溝と、この垂直溝の下端に連なって側方に設けられた係合溝と、ピンを垂直溝から係合溝にガイドする傾斜ガイド面とから形成されており、更に前記筒状ボディが、垂直溝の下端を分岐として分割成形された上部ボディと下部ボディの結合体により構成されているドアストッパー。
【発明の詳細な説明】
【技術分野】
【０００１】
本発明は、所定の開き位置で回動ドアを停止保持させるドアストッパーに関するものである。
【背景技術】
【０００２】
従来、回動ドアを停止保持させるドアストッパーとして、床面にピン体を突出させてこのピン体にドア側に保持させたフックを着脱自在に係合させたり（特許文献１参照）、又はピン体とドアとの接触面に磁石と被吸着体を取り付けて相互に吸着させるようにした（特許文献２参照）方式のものや、或いは特許文献３に示すように、回動ドアを開放したときに床面に埋め込んだ回動舌片が、回動ドアに固定したボデイの磁石に吸着されて傾斜姿勢に立ち上がり、ドアを停止させる方式のものが知られている。
【特許文献１】特開平１０−２３８１９３号公報
【特許文献２】特開平１０−１５９４２５号公報
【特許文献２】特開２０００−８０８５４号公報
【発明の開示】
【発明が解決しようとする課題】
【０００３】
しかし、特許文献１並びに２の方式では、ピン体が常に床面から突出した状態となっているので、掃除や歩行の妨げになると共に、外観上見劣りがすると行った欠点がある。また、特許文献３の方式は、磁石と回動舌片との吸着力で回動ドアの開き姿勢を保持する構造となっているから、回動ドアの保持力は磁石の吸着力のみに依存している。しかし磁石の吸着力には限界があり、振動等の軽い力で自然に磁石との吸着が外れて回動ドアが自由回動することがあるとともに、ボデイの取付位置が所定の位置より少しでも上下にずれると、回動舌片の立ち上がり角度とボデイの傾斜吸着面の角度が合わなくなって両者間に隙間が生じ、磁石の吸着力が著しく低下するといった欠点があった。
【０００４】
そこで本発明は、上記のような従来欠点を解消すると共に、製作性に優れたドアストッパーを提供することを主たる目的とするものである。
【課題を解決するための手段】
【０００５】
上記の課題を解決するために本発明では次のような技術的手段を講じた。即ち、本発明にかかるドアストッパーは、上端が開口した筒状ボディと、先端部が筒状ボディの上端開口部から所定ストロークだけ出没できるように筒状ボディ内に収納された軸部材と、該軸部材を常時突出方向に付勢するスプリングとからなり、軸部材の外周面に放射方向に突出したピンが設けられ且つ上端面には回動操作溝が設けられており、前記筒状ボディの内周面には前記ピンがスライド自在に嵌合するガイド溝が設けられ、該ガイド溝は上下方向に延びる垂直溝と、この垂直溝の下端に連なって側方に設けられた係合溝と、ピンを垂直溝から係合溝にガイドする傾斜ガイド面とから形成されており、更に前記筒状ボディが、垂直溝の下端を分岐として分割成形された上部ボディと下部ボディの結合体により構成されている構造とした。
【０００６】
上記のドアストッパーは、その筒状ボディの上端面が床面と略面一となるように筒状ボディを床面の所定位置に埋め込んで使用される。
【発明の効果】
【０００７】
本発明によれば、ドアストッパーとなる軸部材を筒状ボディに押し込むだけで軸部材の没入姿勢を保持することができて床面を平らな面に保つことができるとともに、必要に応じて回動操作溝を介して軸部材を回動させることにより軸部材を突出させて回転ドアの開き姿勢を確実に保持することができることができる。また、ガイド溝が外部に突出する軸部材ではなくて、筒状ボディの内周面に形成されているので、ガイド溝に埃が溜まって軸部材のスライドを阻害する事態の発生を未然に防止することができる。加えて、筒状ボディが、垂直溝の下端を分岐として分割成形された上部ボディと下部ボディの結合体により構成されているので、筒状ボディ内周面にガイド溝が形成されているにもかかわらず、簡単な樹脂成形金型で多数取り成形が可能となり、低コストで製作することが可能となる、といった種々の効果がある。
【発明を実施するための最良の形態】
【０００８】
以下、本発明の詳細を図面に示した実施例に基づいて説明する。
このドアストッパーは、上端が開口した合成樹脂製の筒状ボディ１と、先端部が筒状ボディ１の上端開口部から所定ストロークだけ出没できるように筒状ボディ１に収納された合成樹脂製の軸部材２と、該軸部材２を常時突出方向に付勢するスプリング３とを備えている。
【０００９】
前記軸部材２の外周面に放射方向に突出したピン４が設けられ且つ上端面には指爪やコイン或いはドライバー等の工具が係合して軸部材を回動させるための回動操作溝５が設けられている。また、前記筒状ボディ１の内周面には、前記ピン４がスライド自在に嵌合するガイド溝６が設けられている。
【００１０】
このガイド溝６は、図３に示すように、上下方向に延びる垂直溝６ａと、この垂直溝６ａの下端に連なって側方に設けられた係合溝６ｂと、ピン４を垂直溝６ａから係合溝６ｂにガイドする傾斜ガイド面６ｃとから形成されている。また、筒状ボディ１の下端は底板により閉ざされている。
【００１１】
更に、前記筒状ボディ１が、垂直溝６ａの下端を分岐として分割成形された上部ボディ１ａと下部ボディ１ｂの結合体により構成されている。両者の結合は接着材が好ましいがネジや嵌合等の手段でも可能である。上部ボディ１ａと下部ボディ１ｂの結合前の形態では、垂直溝６ａの下端が上部ボディ１ａの下端面に開口された形態となっており、係合溝６ｂの上端が下部ボディ１ｂの上端面に開口した形態で成形されている。従って、上部ボディ１ａ並びに下部ボディ１ｂは、無理抜き機構や複雑な機構を組み込むことなく、簡潔な２分割の樹脂成形金型により簡単に成形することができる。
【００１２】
上記係合溝６ａの上端面６ｄは実質的に上部ボディ１ａの下端面で形成され、この部分にピン４が係合することにより、図１に示す軸部材２の没入姿勢が保持されるように形成されている。
【００１３】
このドアストッパーを使用するに当たっては、図４並びに図５に示すように回動ドアーＡを設置した床面Ｂの所定の位置に、埋め込んで使用する。
ストッパーを必要としないときは図４及び図５の軸部材突出姿勢から、軸部材２をスプリング３に抗して手や足先で単に押し込むだけでよい。軸部材２を押し込むと軸部材２のピン４が、図６の(イ)の位置から垂直溝６ａを下降して傾斜ガイド面６ｃに当たり、このガイド面６ｃ沿ってスライドして軸部材２を回動させながら図６の(ロ)に示すように係合溝６ｂに移行する。そこで押し込み力がなくなるとスプリング３により少し押し上げられて図６の(ハ)に示すように係合溝６ｂの上端面６ｄに係合し、軸部材２の没入姿勢が保持される。
また、回動ドアＡを、ドアストッパーを通り越した位置で開放姿勢を保持する場合は、軸部材２の回動操作溝５に指爪やコイン或いは適当な工具を係合させて軸部材２を所定の方向に少し回動すればよい。軸部材２を回動させるとピン４が係合溝６ｂから垂直溝６ａに移行し、スプリング３により軸部材２が押し上げられて図２、図４並びに図５の突出姿勢になる。これにより回動ドアＡの開放姿勢を確実に保持できる。尚、軸部材２の突出量は回動ドアＡの下端が接当するに充分な長さとすることは勿論である。
【００１４】
以上本発明について説明したが、本発明は上記実施例に限定されるものでなく、その構成要件を備え、かつ本発明の目的を達成し、本発明の効果を奏する範囲内において適宜改変して実施できるものである。
【産業上の利用可能性】
【００１５】
本発明のドアストッパーは、玄関ドアや室内ドアなど回動ドア全般に使用するｋとが可能である。
【図面の簡単な説明】
【００１６】
【図１】本発明にかかるドアストッパーの一実施例を示す断面図で、軸部材の没入姿勢を示す。
【図２】上記ドアストッパーの図１同様の断面図であって、軸部材の突出姿勢を示す。
【図３】上記ドアストッパーの筒状ボディを垂直に分断した斜視図。
【図４】本発明にかかるドアストッパーの使用例を示す断面図。
【図５】本発明にかかるドアストッパーの使用例を示す斜視図。
【図６】本発明にかかるドアストッパーにおいて、係合溝内でのピンの移動を示す説明図。
【符号の説明】
【００１７】
１  筒状ボディ
１ａ  上部ボディ
１ｂ  下部ボディ
２  軸部材
３  スプリング
４  ピン
５  回動操作溝
６  ガイド溝
６ａ  垂直溝
６ｂ  係合溝
６ｃ  傾斜ガイド面
【図１】
2008280773.tif 000003
【図２】
2008280773.tif 000004
【図３】
2008280773.tif 000005
【図４】
2008280773.tif 000006
【図５】
2008280773.tif 000007
【図６】
2008280773.tif 000008